(57)【要約】      （修正有）【課題】ハンガーの太さやハンガーを物干し竿に掛ける間隔には無関係に、ハンガーを簡単に保持可能で、外す際も簡単に保持作用を解除できる器具の提供。【解決手段】物干し竿７に掛けたハンガー８の上から、樹脂製パイプの側面を切り取った形状の本体パイプ１を被せ、樹脂の弾性変形によって物干し竿とハンガーとを保持する。本体パイプの側面に複数のスリット２を設ける事で、ハンガーの太さや、ハンガーを掛ける間隔が異なる場合でも保持可能とする。本体パイプは、左右に分割した上で上部を回転自在に結合し、ロックと解除が可能で着脱も容易である。【選択図】図４
2006297031.tif 000002
【特許請求の範囲】
【請求項１】
パイプ材の側面を、パイプの長手方向と略平行に切り取った形状または、これに類する形状のハンガー保持器において、下記の特徴を有する、ハンガー保持器。
１，パイプの側面を切り取る厚さは、パイプの外径に対して、１％〜６０％の厚さとした。
２，側面を切り取った部分と略反対側に、取っ手を設けた、または、パイプの側面に、粗面や凹部、貫通孔、凸部などの、手で保持する為の滑り止め形状部を設けた。
３，パイプ側面の、切り取られた開口部から反対側に向かって、パイプの長手方向と略直角に、複数のスリットを設けた。
【請求項２】
下記のいずれかまたは、全ての特徴を有する、請求項１に記載の、ハンガー保持器。
１，パイプ側面の開口部に、面取りまたはＲ形状を設けた。
２，パイプ側面の開口部近傍を、外側に開いた形状または、内側に巻き込んだ形状に成形した。
３，複数のスリットの間隔を、一定または、不均一とした。
４，パイプ側面の開口部と反対側近傍の側面部を、外側に膨らませた。
５，パイプ側面に、１個または複数個の貫通孔を設けた。
６，取っ手は一定の厚みを有し、パイプの長手方向に対して略平行または、略直角な握り形状部を備えた。
７，取っ手の握り形状部には、人間の指に合わせた凹凸を設けた、または、粗面とした。
８，パイプの長さは、３０ｍｍから３５００ｍｍの範囲とした。
９，パイプの内径は、５ｍｍ〜２００ｍｍとし、スリットの幅は、０．１ｍｍ〜３０ｍｍとした。
１０，各部を、樹脂、硬質ゴム、または金属で成形した、または、全体を一体成形した。
１１，パイプの内径を一定とした、または、場所によって内径が異なる構成とした。
１２，パイプの断面形状を、真円、楕円、長円、方形または、これらに類する形状とした。
１３，パイプの断面形状において、外周面または内周面に、凹凸を設けた。
１４，パイプの内側に、粗面を設けた、または、ゴムや塩化ビニールなどの、高摩擦係数を有する材料を装置した。
１５，パイプの肉厚は一定では無く、開口部近傍を薄くし、取っ手側を厚くした。
【請求項３】
パイプは、切り取った開口部と反対側近傍で、長手方向に対して左右に２分割した状態で成形し、分割された左右の各部品を、下記のいずれかの構成によって一体化する事で、所定の形状を得た事を特徴とする、請求項１または２に記載の、ハンガー保持器。
１，接着、溶着、貼付け、または、凸部を凹部や孔に圧入する。
２，返し付きの突起を、凹部または貫通孔等に差し込む事で、嵌合させる。
３，ネジ、リベット、ピン、クリップ、紐、針金等の、固定部材を使用して、固定する。
【請求項４】
左右の各部品は、下記のいずれかの構成によって連結した上で、請求項３に記載の構成により、所定の形状を得た事を特徴とする、ハンガー保持器。
１，取っ手の端部、または取っ手の近傍が、連結された形状で一体成形し、折り曲げた。
２，取っ手の端部、または取っ手の近傍に、蝶番を取り付けて連結し、折り曲げた。
【請求項５】
下記のいずれか、または、全ての特徴を有する、請求項４に記載の、ハンガー保持器。
１，左右の各部品を固定する固定手段と、固定を解除する解除手段を設けた。固定手段とは、請求項３に記載の、返し付きの突起等を指し、解除手段とは、突起を指で操作する事で、嵌合した返し部分を外す為の、装置や形状等を言う。
２，左右の各部品の間に、ゴムやスプリング等の弾性部材を装置し、固定手段によって各部品が固定された状態では、弾性部材が変形し、固定手段を解除した時には、弾性部材の反発力によって、連結部を中心に、各部品が、左右に開く様に構成した。
３，左右２部品のどちらか一方または両方に弾性変形部を設け、固定手段によって各部品が固定された状態では、弾性変形部が変形し、固定手段を解除した時には、連結部を中心に、各部品が左右に開く様に構成した。弾性変形部とは、例えば左右の各部品の内側面に突起やアーム形状等を形成し、左右の各部品を所定の形状に合わせた時に、突起やアーム部が相手部品に接触して押される事で変形する装置等を指す。
【発明の詳細な説明】
【技術分野】
【０００１】本発明は、主として物干し竿に掛けられたハンガーが、風によって動いたり外れたりするのを防止する、ハンガー保持器に関する。
【背景技術】
【０００２】ハンガーを固定する器具は多数市販されているが、ハンガー１本だけを固定するタイプか、または、複数のハンガーを等間隔で掛けるタイプしか無い。
【発明の開示】
【発明が解決しようとしている課題】
【０００３】ハンガーの太さや、ハンガーを物干し竿に掛ける間隔には無関係に、ハンガーを簡単に保持可能で、外す際も、簡単に保持作用を解除できる器具が求められている。
【課題を解決する為の手段】
【０００４】物干し竿に掛けたハンガーの上から、側面の一部を切り欠いたパイプ形状の、樹脂製保持器を被せ、樹脂の弾力性によってハンガーを保持する。その際、保持器の側面に複数のスリットを設け、緊迫力が作用する部分を分断する事で、ハンガーの太さや、掛ける間隔が異なる場合でも保持可能とする。
【発明の効果】
【０００５】本発明品によれば、色々な太さのハンガーを使って、好きな間隔に物干し竿にハンガーを掛ければ良い。即ち、通常通りに洗濯物を干す作業をすれば良く、ハンガーを掛け終わった時点で、本発明品を上から被せるだけで、目的を達成できる。
洗濯物を取り込む際は、最初に本発明品を取り外せば、その後は、通常通りにハンガーを一ヶ所に寄せて、一気に撮り込む事ができる為、極めて利便性が高い。
【発明を実施するための最良の形態】
【０００６】パイプの側面を、一定の幅で、長手方向に切り取った形状の樹脂成形品を作り、その側面には、パイプの長手方向と直角に多数のスリットを設ける。
また、パイプ側面の切り取られた開口部と反対側に、取っ手を装置する。
【実施例】
【０００７】図１は、請求項１及び２に記載された本発明品の側面図を表し、図２は、その断面図を表す。
本体であるパイプ１には、長手方向と直角に多数のスリット２が設けられている。また、３は、パイプの一部を膨らませた形状を表す。
パイプ１の下側は、図２の様に切り取られており、その開口部には外側に曲げられたＲ形状６が形成されている。パイプの上側には、取っ手４が装置され、その開口部５に手を入れて、しっかりと本体を掴む事ができる。尚、本体は、樹脂成形品で構成されている。【０００８】図３は、本発明品を使用して、ハンガー８を保持した状態の断面図である。
洗濯物を干す際、ハンガー８を物干し竿７に掛ける。洗濯物がたくさんある場合は、１本の物干し竿に多数のハンガーを掛ける為、屋外でそのまま放置すると、風の為にハンガーが、物干し竿の一端に片寄ってしまったり、物干し竿から外れて落ちてしまう場合が有る。
そこで、物干し竿に掛けられた多数のハンガーの上から、本発明品を被せて押しつけると、樹脂の弾力性によってパイプ１の開口部が広がり、さらに押し込めば、図３の状態となる。
尚、本発明品を押しつける際、下側の開口部にＲ形状６が設けられているので、引っかかる事も無く、スムーズに挿入が可能である。またパイプ１には、外径を膨らませた形状３を設けてある為、上端に突起等の有るハンガーでも、当らずに取付けできる。【０００９】本体パイプ１の長さは、例えば２０〜３０ｃｍとすれば、３〜４本のハンガーを同時に固定する事ができ、長さを３ｍ程度にすれば、通常の物干し竿に掛けられた全てのハンガーを、同時に固定する事ができる。また、パイプ１の内径を、物干し竿７の外径よりもわずかに小さくする事で、確実に物干し竿とハンガーとを固定する事ができる。
また、本発明品には多数のスリット２が設けられている為、使用時にパイプ１は、ハンガーの有る場所だけが弾性変形してハンガーを保持するが、ハンガーが無い部分は物干し竿を保持する。従って、本発明品を使用すれば、ハンガーの配置間隔とは無関係に、ハンガーと物干し竿を固定する事ができる。
さらに、ハンガーの太さが異なる場合でも、本発明品は複数のスリット２が設けられており、スリットとスリットの間の部分が、それぞれ独立して弾性変形する事でハンガーを保持する為、太さがバラバラのハンガーでも、全く問題無く固定できる。
以上が、請求項１及び２に記載の、本発明品の実施例である。【００１０】図４は、請求項３と４及び５に記載された、本発明品の実施例の断面図を表す。
パイプ１は、取っ手４を含めて左右に分割された状態で構成され、蝶番９で回転自在に連結されている。取っ手４の内側の片面には、先端部に返しを設けた突起１１を装置し、反対側には、突起１１と相対する位置に、貫通孔１２を設ける。
以上の構成により、左右の部品を蝶番９を中心に回転させて閉じれば、突起１１が貫通孔１２に差し込まれ、突起１１の先端に設けられた返しが貫通孔１２の縁に引っかかり、左右の部品は開かなくなる。即ち、図２と全く同じ状態となる。
洗濯物を取り込む際は、貫通孔１２から先端部が出ている突起１１を指で押し、返し部分をずらせばロックが解除される。この時、左右の部品によって圧縮されていた弾性部材１０が、左右の部品を押し開く。その結果、ハンガーを保持していた緊迫力が解除され、本発明品は、物干し竿から簡単に取り外す事ができる。
その後は、通常通り、ハンガーをずらして１ヶ所に寄せ、まとめて物干し竿から外す事ができる。即ち、洗濯物を干したり取り込んだりする作業手順を、一切変更する必要が無い。
尚、突起１１と貫通孔１２は、取っ手４の両側に設けておけば、より確実にロックできる。
以上が、請求項３と４及び５に記載の、本発明品の実施例である。
【産業上の利用可能性】
【００１１】本発明品によれば、色々な太さのハンガーを、洗濯物に応じて不規則な間隔で物干し竿に掛けた場合でも、ワンタッチで、複数のハンガーをまとめて固定する事が可能となり、風によって洗濯物がずれたり、竿から落ちる事を防止できる。
また、洗濯物を取り込む際も、ワンタッチで本発明品を取り外す事が可能で、取り外した後は、通常通り、ハンガーを一ヶ所に寄せて取り込めるので、極めて利便性が高い。
【図面の簡単な説明】
【００１２】
【図１】請求項１及び２の、側面図である。
【図２】請求項１及び２の、断面図である。
【図３】請求項１及び２の、断面図であり、ハンガーを保持している状態を指す。
【図４】請求項３と４及び５の、断面図であり、本発明品を物干し竿から外す状態を指す。
【符号の説明】
【００１３】  １、本発明品の本体パイプ（樹脂パイプの下側面を切り取った形状）
２、スリット
３、パイプの一部分を膨らませた形状
４、取っ手
５、取っ手に開けられた、手を入れる為の貫通孔
６、パイプ開口部に設けた、外側に開いた形状（ガイド）
７、物干し竿
８、ハンガー
９、蝶番
１０、弾性部材
１１、返しの付けられた突起
１２、返しを引っ掛ける、貫通孔
【図１】
2006297031.tif 000003
【図２】
2006297031.tif 000004
【図３】
2006297031.tif 000005
【図４】
2006297031.tif 000006